(57)【要約】【課題】  気体を利用して漏電防止作用を有効に発揮させるようにする。【解決手段】  本誘導帯電型静電噴霧装置３０は、液体を先端部から液滴Ｄにして噴出するノズル部１１と、ノズル部１１の基端部側に基端部が支持され、ノズル部１１から側方に間隔をおいてノズル部１１の先端部側へ先端部が延設された軸状の電極支持軸２と、電極支持軸２の先端部に配設され、液滴Ｄの拡散範囲の外周に内周が近接するように形成されており、前記液体との間に付与される高電圧により該液滴を誘導帯電させるための略環状の電極５と、電極支持軸２の基端部及び電極５の間の沿面を分断するように延設された環状凹部２０により、電極５又はそれに電気的に接続された部分である高電位側部分の電位が電極支持軸２を伝って漏電することを防止する漏電防止部４とを備え、環状凹部２０の奥側から流入して環状凹部２０の開口側から流出するように気体を供給する気体供給手段２２を備える。【選択図】      図３
2014100647.tif 000002
【特許請求の範囲】
【請求項１】
基端部側から供給される液体を先端部から液滴にして噴出するノズル部と、
該ノズル部の基端部側に基端部が支持されるとともに、該ノズル部から側方に間隔をおいて該ノズル部の先端部側へ先端部が延設された軸状の電極支持軸と、
該電極支持軸の先端部に配設され、前記液滴の拡散範囲の外周に内周が近接するように形成されており、前記液体との間に付与される高電圧により該液滴を誘導帯電させるための略環状の電極と、
前記電極支持軸の基端部及び前記電極の間の沿面を分断するように延設された環状凹部により、前記電極又はそれに電気的に接続された部分である高電位側部分の電位が前記電極支持軸を伝って漏電することを防止する漏電防止部とを備えた誘導帯電型静電噴霧装置であって、
前記環状凹部の奥側から流入して該環状凹部の開口側から流出するように気体を供給する気体供給手段を備えた誘導帯電型静電噴霧装置。
【請求項２】
前記漏電防止部における低電位側に支持され、前記漏電防止部の略全周を覆うように、開口部が前記電極支持軸の先端側へ延設された略カップ状の保護カバーを備えており、
該保護カバー内において、前記環状凹部は、奥行きが前記電極支持軸の長さ方向へ延びており、開口部が該電極支持軸の長さ方向における基端部側へ向いている請求項１記載の誘導帯電型静電噴霧装置。
【請求項３】
前記気体供給手段は、噴霧及び高電圧の付与を停止した状態での作動が可能に構成された請求項１又は２記載の誘導帯電型静電噴霧装置。
【請求項４】
前記気体供給手段は、中空に構成された前記電極支持軸の内部と前記環状凹部の前記奥側とを連通する通気路を備え、該電極支持軸の内部を通じて前記環状凹部の前記奥側に気体を供給するように構成された請求項１〜３のいずれか一項に記載の誘導帯電型静電噴霧装置。
【請求項５】
前記漏電防止部は、その表面に付着した液体を加熱するヒータを備えた請求項１〜４のいずれか一項に記載の誘導帯電型静電噴霧装置。
【請求項６】
作業者が操作するための操作手段を備えており、
前記液滴が前記ノズル部から該操作手段側へ飛散することを阻止するように気体のカーテンを形成する気体カーテン形成部を備えた請求項１〜５のいずれか一項に記載の誘導帯電型静電噴霧装置。
【発明の詳細な説明】
【技術分野】
【０００１】
本発明は、気体を用いて漏電を防止するように構成された誘導帯電型静電噴霧装置に関するものである。
【背景技術】
【０００２】
背景技術としては、特許文献１に記載された静電噴霧装置を例示する。この静電噴霧装置は、図６に示すように、液体を無数の液滴Ｄにして噴出する噴霧ノズル１２５と、液滴Ｄの拡散範囲の外側に近接するように配設された環状電極１２６と、絶縁性材料からなり、噴霧ノズル１２５に対して環状電極１２６を支持する電極ホルダ１２７とを備え、前記液体及び環状電極１２６の間に印加される高電圧により液滴Ｄを帯電させるように構成されている。そして、液滴Ｄが噴霧ノズル１２５、環状電極１２６、又は電極ホルダ１２７に付着することを防止するように圧縮エアＡ１，Ａ２を放出するエアノズル１３２及び通気穴１３３を備えている。
【０００３】
このように、従来技術は、噴霧ノズル１２５の周囲を覆うとともに環状電極１２６を支持するように構成された電極ホルダ１２７内に圧縮エアを吹き込むことにより、噴霧ノズル１２５、環状電極１２６、又は電極ホルダ１２７の内面のように噴霧が付着しやすい部位への液滴Ｄの付着を防止し、漏電を防止する技術思想となっている。
【０００４】
この静電噴霧装置の他に、圧縮エアを用いた静電噴霧装置としては、例えば、特許文献２〜４に記載されたものがある。
【先行技術文献】
【特許文献】
【０００５】
【特許文献１】特開２００６−２１１４８号公報
【特許文献２】特表２００３−５２３８１７号公報
【特許文献３】特開平１０−３０９４９８号公報
【特許文献４】特開２０００−１０２７４９号公報
【特許文献５】特開２０１２−３５１７０号公報
【発明の概要】
【発明が解決しようとする課題】
【０００６】
ところで、例えば、特許文献５に記載された静電噴霧装置のように、特許文献１のものとは異なり、噴霧ノズル１２５の周囲が電極ホルダ１３０で覆われていないものがある。この静電噴霧装置は、図７に示すように、噴霧対象の液体を液滴Ｄにして噴出する噴霧ノズル１２５と、液滴Ｄの拡散範囲の外周に内周が近接するように配設された環状電極１２６と、噴霧ノズル１２５の基端側に対して環状電極１２６を支持する電極ホルダ１３０と、噴霧ノズル１２５に対し電極ホルダ１３０を介して環状電極１２６を支持する電極支持軸１３１と、該電極支持軸１３１に設けられた漏電防止部１３４とを備えている。この種の静電噴霧装置では、噴霧ノズル１２５、環状電極、又は電極ホルダの内面といった噴霧が付着しやすい部位に効率的に圧縮エアを吹き付けることが構造上困難で、圧縮エアを利用した漏電の防止が難しいという課題がある。
【０００７】
また、特許文献５に記載された静電噴霧装置は、液滴Ｄが付着することによる漏電を防止するための漏電防止部１３４を備えているが、ビニールハウスなどの室内で噴霧作業を行っていると、漏電防止部１３４を備えているにも関わらず、漏電防止部１３４において漏電が発生することがある。そこで、本願の発明者らは、この原因について調査した結果、次のように、漏電防止部１３４の内面に生じた結露が原因であることを突き止めた。
【０００８】
漏電防止部１３４の内面に結露が発生するパターンとしては、種々のものが想定されるが、例えば、室外の低温な場所から高温多湿な室内に静電噴霧装置を持ち込んだときに、高温多湿な空気が漏電防止部内に流れ込んで該漏電防止部の内面に結露が生じるパターンがある。しかも、室内で噴霧作業を開始すると、その時間の経過とともに、室内の湿度が上昇し、結露がより発生し易い状態になって行く。そして、この漏電防止部１３４内の結露が成長すると、漏電防止部１３４の両側に形成された連続膜を該結露が相互に連結し、漏電が発生するのである。
【０００９】
しかも、そのように結露した状態を噴霧後に放置しておくと、結露に含まれる薬液の成分が漏電防止部１３４の内面に固着し、それ以降の噴霧時にそこが湿気を吸収しさらに漏電しやすくなるという課題がある。このため、定期的に漏電防止部１３４を分解し洗浄し乾燥させなければならず、手間がかかっている。
【課題を解決するための手段】
【００１０】
前記課題を解決するために、本発明の誘導帯電型静電噴霧装置は、
基端部側から供給される液体を先端部から液滴にして噴出するノズル部と、
該ノズル部の基端部側に基端部が支持されるとともに、該ノズル部から側方に間隔をおいて該ノズル部の先端部側へ先端部が延設された軸状の電極支持軸と、
該電極支持軸の先端部に配設され、前記液滴の拡散範囲の外周に内周が近接するように形成されており、前記液体との間に付与される高電圧により該液滴を誘導帯電させるための略環状の電極と、
前記電極支持軸の基端部及び前記電極の間の沿面を分断するように延設された環状凹部により、前記電極又はそれに電気的に接続された部分である高電位側部分の電位が前記電極支持軸を伝って漏電することを防止する漏電防止部とを備えた誘導帯電型静電噴霧装置であって、
前記環状凹部の奥側から流入して該環状凹部の開口側から流出するように気体を供給する気体供給手段を備えている。
【００１１】
この構成によれば、前記気体供給手段で、前記漏電防止部における前記環状凹部の奥側から流入して該環状凹部の開口側から流出するように気体を供給することにより、該環状凹部内に前記液滴が流入することを防止し、もって、該環状凹部の内面に該液滴による連続膜が形成されることを防止することができる。これにより、前記環状凹部による漏電防止作用を有効に発揮させることができる。また、仮に、前記液体が前記環状凹部内に流入したとしても、前記気体により該液体を迅速に乾燥させることができる。
【００１２】
前記誘導帯電型静電噴霧装置としては、
前記漏電防止部における低電位側に支持され、前記漏電防止部の略全周を覆うように、開口部が前記電極支持軸の先端側へ延設された略カップ状の保護カバーを備えており、
該保護カバー内において、前記環状凹部は、奥行きが前記電極支持軸の長さ方向へ延びており、開口部が該電極支持軸の長さ方向における基端部側へ向いている態様を例示する。
【００１３】
この構成によれば、前記環状凹部の開口から流出した気体が前記保護カバー内に流入することにより、該保護カバー内への前記液滴の付着又は前記液体の流入を防止することができる。また、仮に、前記保護カバー内へ前記液滴の付着又は前記液体の流入が生じたときでも、それを前記気体により迅速に乾燥させることができる。
【００１４】
前記誘導帯電型静電噴霧装置としては、
前記気体供給手段は、噴霧及び高電圧の付与を停止した状態での作動が可能に構成された態様を例示する。
【００１５】
この構成によれば、前記気体供給手段を作動させながら前記環状凹部を洗浄液に浸けることにより、該環状凹部内において前記気体で該洗浄液を撹拌させることができ、前記漏電防止部を分解しなくても該環状凹部の内部を洗浄することができる。また、その洗浄後、前記漏電防止部を乾燥させることもできる。
【００１６】
前記誘導帯電型静電噴霧装置としては、
前記気体供給手段は、中空に構成された前記電極支持軸の内部と前記環状凹部の前記奥側とを連通する通気路を備え、該電極支持軸の内部を通じて前記環状凹部の前記奥側に気体を供給するように構成された態様を例示する。
【００１７】
前記電極支持軸の内部へ気体を供給する態様としては、特に限定されないが、次の態様を例示する。
（１）前記電極支持軸の内部に、外部の気体供給手段（ポンプ、送風手段など）で生成した気体を供給する態様。
（２）前記電極支持軸の内部に、気体供給手段（ポンプ、送風手段など）を内蔵させる態様。
【００１８】
この構成によれば、前記環状凹部の奥側から流入して該環状凹部の開口側から流出するように気体を供給する気体供給手段を簡単な構成により実現することができる。
【００１９】
前記誘導帯電型静電噴霧装置としては、
前記漏電防止部は、その表面に付着した液体を加熱するヒータを備えた態様を例示する。
【００２０】
この構成によれば、前記環状凹部内に付着した前記液体を、前記気体に加え、前記ヒータによっても乾燥させることができる。
【００２１】
前記誘導帯電型静電噴霧装置としては、
作業者が操作するための操作手段を備えており、
前記液滴が前記ノズル部から該操作手段側へ飛散することを阻止するように気体のカーテンを形成する気体カーテン形成部を備えた態様を例示する。
【００２２】
前記操作手段としては、特に限定されないが、作業者が握ったり、支えたり、操作指示を入力したりする手段（グリップ部や、ハンドル部や、操作パネル・スイッチなどの入力部など）を例示する。
【００２３】
この構成によれば、薬液を噴霧する場合に、薬液を含んだ帯電噴霧の作業者側への飛散量を低減することができる。
【発明の効果】
【００２４】
本発明に係る誘導帯電型静電噴霧装置によれば、気体を利用することにより漏電防止作用を有効に発揮させることができるという優れた効果を奏する。
【図面の簡単な説明】
【００２５】
【図１】本発明を具体化した第一実施形態に係る誘導帯電型静電噴霧装置の全体構成を模式的に示す側面図である。
【図２】同装置の左右一対の静電噴霧部を示す斜視図である。
【図３】同装置の左側の静電噴霧部の平断面図である。
【図４】同装置の気体カーテン形成部を示す側断面図である。
【図５】本発明を具体化した第二実施形態に係る誘導帯電型静電噴霧装置の要部を示す側面図である。
【図６】従来の静電噴霧装置の要部断面図である。
【図７】従来の別の静電噴霧装置の要部断面図である。
【発明を実施するための形態】
【００２６】
図１〜図４は本発明を具体化した第一実施形態の誘導帯電型静電噴霧装置３０を示している。図１に示すように、この装置３０は、液体としての薬液を収容し供給するための薬液供給部としての収容タンク３１と、該収容タンク３１から供給される薬液を加圧する薬液圧力発生部としてのポンプ３２と、加圧された気体としての空気を供給するエアコンプレッサ３３と、該ポンプ３２及びエアコンプレッサ３３に薬液配管３４及びエア配管３５を介してそれぞれ接続された手持ち式ノズル部３６とを備えている。ポンプ３２やエアコンプレッサ３３としては、所定の圧力が得られるものであれば特に限定されないが、エンジンやモータ等の原動機で駆動されるものを例示する。薬液としては、作物の病気や虫の防除用のものを例示する。
【００２７】
手持ち式ノズル部３６は、操作手段としての手持ち用グリップ部３７と、該グリップ部３７に突設された支持体としての噴管部３８と、該噴管部３８の先端に設けられた一対の静電噴霧部１とを備えている。
【００２８】
グリップ部３７は、その基端側に薬液配管３４及びエア配管３５が接続されている。グリップ部３７の内部における薬液配管３４には、静電噴霧部側への薬液の供給を制御するための薬液供給制御弁４１と、薬液配管３４の中の薬液の圧力を検知する感圧センサー４２とが介挿されている。また、同内部におけるエア配管には、静電噴霧部側への空気の供給を制御するためのエア供給制御弁４３が介挿されている。
【００２９】
噴管部３８は、静電噴霧部１をグリップ部３７に対して間隔をおいて支持するためのもので、中空パイプ状に形成された電気絶縁性材料（本例では樹脂製）からなっている。噴管部３８の先端部は、一対の静電噴霧部１を接続可能に分岐している。噴管部３８の内部には、薬液配管３４、エア配管３５、及び、電圧発生装置４４（後述）から静電噴霧部１へ誘導帯電用の直流高電圧及びヒータ駆動用電圧をそれぞれ送電するケーブル７，２１ａが収容されている。これらのケーブル７，２１ａは絶縁物で被覆されている。
【００３０】
噴管部３８には、それを補助的に手持ち支持するための補助グリップ部４９が長さ方向の途中部（本例ではグリップ部側）に装着されるとともに、該補助グリップ部４９の噴霧部側に気体カーテン形成部５０が装着されている。補助グリップ部４９及び気体カーテン形成部５０は、いずれも電気絶縁性材料からなっている。
【００３１】
気体カーテン形成部５０は、図４に示すように、噴管部３８の全周に渡って形成された空気室５１と、該空気室５１の全周に渡って形成された円環状の吹き出し口５２と、エア配管３５，３５を接続する一対のエア配管部５３，５３とを備えており、一方のエア配管３５から空気室５１に導入した空気を吹き出し口５２から噴管部３８の全周に渡って吹き出すことにより気体カーテンを形成するとともに、他方のエア配管３５へ空気を排出するように構成されている。本例の吹き出し口５２は、本例では、静電噴霧部側に向かって拡径する円錐面状の気体カーテンを形成するように、噴管部３８の径方向よりもやや静電噴霧部側に向けて空気を吹き出すように形成されている。吹き出し口５２としては、本例に限定されず、噴管部３８の径方向に円盤状又は扇状に気体カーテンを形成するようにしたり、グリップ部３７側に向かって拡径する円錐面状の気体カーテンを形成するようにしたりすることもできる。
【００３２】
一対の静電噴霧部１，１は、同一構成であるため、以下、細部については、図２において左側に噴霧するものについてのみ説明する。なお、各図において、矢印Ｔはノズル部１１の先端側を指し示している。この静電噴霧部１は、図２及び図３に示すように、基端部側から噴管部３８を通じて供給される薬液を先端部から液滴Ｄにして噴出するノズル部１１と、該ノズル部１１の基端部側に基端部が支持されるとともに、該ノズル部１１から側方に間隔をおいて該ノズル部１１の先端部側へ先端部が延設された軸状の電極支持軸２と、該電極支持軸２の先端部に配設され、液滴Ｄの拡散範囲の外周に内周が近接するように形成された略環状の電極５と、電極支持軸２の基端部及び電極５の間の沿面に設けられ、電極５又はそれに電気的に接続された部分である高電位側部分の電位が電極支持軸２を伝って漏電することを防止する漏電防止部４と、電極支持軸２の基端側に設けられ、電極支持軸２の略全周を覆うように、開口部が電極支持軸２の先端側へ延設された略カップ状の保護カバー３とを備え、前記薬液及び電極５の間に高電圧を付与することにより液滴Ｄを誘導帯電させるように構成されている。
【００３３】
本例では、各一対の静電噴霧部１，１は、正面視において、噴管部３８を挟んで左右方向に互いに間隔をおいて配設されている。各静電噴霧部１は、電極支持軸２が、ノズル部１１に対して、手持ち式ノズル部３６の左右方向における外方に配設されている。
【００３４】
ノズル部１１は、その継手１２を介して噴管部３８に接続されるように構成されており、該噴管部３８を通じて供給される噴霧対象の薬液を液滴Ｄにして噴出するように構成されている。このノズル部１１は、非導電性材料又は導電性材料のいずれからなっていても構わない。本例のノズル部１１は、重量を軽量化するために樹脂製となっている。ノズル部１１には、電極支持軸２の基端部を、該ノズル部１１の基端部側に対して着脱可能に支持する保持部６が設けられている。
【００３５】
電極５は、本例では円環状に形成され、ノズル部１１から噴出される液滴Ｄの拡散範囲の外側に近接するように配設されており、被覆導電体としての高電圧ケーブル７を介して電源部（図示略）から供給される高電圧（本例では約＋６．３ｋＶ）が印加されるようになっている。高電圧ケーブル７は非導電性材料で被覆されている。電極５の形状は、略円環状であれば特に限定されず、一箇所が破断したＣ字状に形成された態様や、互いに導電体で接続された複数の部材を略円環状に配設してなる態様を例示する。
【００３６】
電極支持軸２は筒状に形成されており、その筒内には高電圧ケーブル７が配線されている。また、電極支持軸２の基端側には、エア配管３５が接続されており、その筒内に加圧された空気が供給されるようになっている。電極支持軸２の先端部の内外には、Ｏリングなどのシール材１９を設けることにより、該筒内を伝っての漏電と、空気の漏洩とを防止するようにしている。
【００３７】
保護カバー３は、電極支持軸２を包囲する周壁部がノズル部１１の本体に連結されてなり、該周壁部の基端側を塞ぐ底壁部がノズル部１１の基端側に連結されている。保護カバー３の周壁部は、電極支持軸２及び漏電防止部４の略全周を覆うように、電極支持軸２の先端部側へ延設されている。保護カバー３の周壁部には、周方向に間隔をおいて複数の通気孔３ａが設けられている。
【００３８】
漏電防止部４は、高電位側部分としての電極５と、該電極５からの漏電に対して保護しようとする部分である漏電保護側部分としてのノズル部１１及び噴管部３８とを繋ぐ沿面の途中部（具体的には、電極支持軸２の基端部及び電極５の間の沿面）に設けられている。そして、本例の漏電防止部４は、前記沿面を分断するように延設された環状凹部２０と、該環状凹部２０の奥側から流入して環状凹部２０の開口側から流出するように気体を供給する気体供給手段２２と、該環状凹部２０の内側における電極支持軸２の外周に装着された筒状のヒータ２１とにより構成されており、これらの構成部材の少なくとも表面は、電気絶縁性材料からなっている。環状凹部２０は、その奥行きが電極支持軸２の長さ方向へ延びており、その開口部が電極支持軸２の長さ方向へ向いている。
【００３９】
気体供給手段２２は、中空に構成された電極支持軸２の内部と環状凹部２０の奥側とを連通する通気路２３を備え、エア配管３５が接続された電極支持軸２の内部を通じて環状凹部２０の奥側に気体を供給するように構成されている。
【００４０】
ヒータ２１は、専用の電源ケーブル２１ａを介して電力が供給されて、環状凹部２０の内部空間を加熱することにより、該空間を形成する表面の温度を上げ、該表面に結露が発生することを防止し、該結露による漏電の発生を防止するようになっている。本例のヒータ２１としては、防水性を備えたものが好ましく、通電により発熱するヒータ層と、該ヒータ層の両面に設けられた保護層とを備えたシートヒータを利用することを例示する。
【００４１】
次に、手持ち式ノズル部３６の電気的な制御系統の構成及び動作について説明する。手持ち式ノズル部３６のグリップ部３７には、前述した薬液供給制御弁４１、感圧センサー４２、及びエア供給制御弁４３に加え、誘導帯電用の直流高電圧及びヒータ駆動用電圧を発生させるための電圧発生装置４４と、操作指示を入力する入力部４５と、動作状況を表示する表示部４６と、感圧センサー４２及び入力部４５から入力した情報に基づいて薬液供給制御弁４１、エア供給制御弁４３、及び電圧発生装置４４を制御する制御部４７と、電源としての蓄電池４８とが内蔵されている。入力部４５は、薬液供給制御弁４１を開閉するためのスイッチと、エア供給制御弁４３を開閉するためのスイッチとを備えている。薬液供給制御弁４１及びエア供給制御弁４３は、本例では、電気信号により制御可能な電磁弁を採用している。初期状態では、薬液供給制御弁４１及びエア供給制御弁４３が閉じており、電圧発生装置４４が電圧を発生させていないものとする。そして、入力部４５に薬液供給制御弁４１を開く操作指示が入力されると、制御部４７は薬液供給制御弁４１を開くとともに、エア供給制御弁４３が開いているときは閉じる。このように薬液供給制御弁４１が開いた状態において、感圧センサー４２が薬液配管３４に薬液が供給されていることを検知すると、制御部４７は、それを検知している間に渡って、電圧発生装置４４を作動させるとともに、エア供給制御弁４３を開くように構成されている。また、薬液供給制御弁４１が閉じた状態において、入力部４５にエア供給制御弁４３を開閉する操作指示が入力されると、制御部４７はその操作指示に応じてエア供給制御弁４３を開閉するように構成されている。
【００４２】
次に、本例の誘導帯電型静電噴霧装置３０の使用方法について説明する。
（ａ）噴霧するときは、ポンプ３２及びエアコンプレッサ３３を作動させるとともに、入力部４５に薬液供給制御弁４１を開く操作指示を入力する。すると、薬液供給制御弁４１が開くとともに、エア供給制御弁４３が開き、静電噴霧部１から帯電噴霧が噴出されるとともに、漏電防止部４及び気体カーテン形成部５０から空気が放出される。
（ｂ）漏電防止部４を洗浄するときは、薬液供給制御弁４１が閉じた状態において、入力部４５にエア供給制御弁４３を開く操作指示を入力する。すると、エア供給制御弁４３が開き、漏電防止部４から空気が排出される。例えば、バケツなどの容器に溜めた洗浄液（水でもよい。）に静電噴霧部１を浸け、洗浄液を撹拌するように静電噴霧部１を動かすと、洗浄液及び空気により漏電防止部４を効果的に洗浄することができる。このとき、気体カーテン形成部５０から空気が放出され、気体カーテンが形成されているので、洗浄時における作業者側への洗浄液の飛散が阻止されるようになっている。
【００４３】
以上のように構成された本例の誘導帯電型静電噴霧装置３０によれば、気体供給手段２２で、漏電防止部４における環状凹部２０の奥側から流入して環状凹部２０の開口側から流出するように気体を供給することにより、環状凹部２０の中に液滴Ｄが流入することを防止し、もって、環状凹部２０の内面に液滴Ｄによる連続膜が形成されることを防止することができる。これにより、環状凹部２０による漏電防止作用を有効に発揮させることができる。また、仮に、薬液が環状凹部２０の中に流入したとしても、気体により該薬液を迅速に乾燥させることができる。
【００４４】
また、電極支持軸２及び漏電防止部４の略全周を覆うように、開口部が電極支持軸２の先端側へ延設された略カップ状の保護カバー３を備えているので、環状凹部２０の開口から流出した気体が保護カバー３の中に流入することにより、該保護カバー３の中への液滴Ｄの付着又は薬液の流入を防止することができる。また、仮に、保護カバー３の中へ液滴Ｄの付着又は薬液の流入が生じたときでも、それを気体により迅速に乾燥させることができる。
【００４５】
また、気体供給手段２２は、噴霧及び高電圧の付与を停止した状態での作動が可能に構成されているので、気体供給手段２２を作動させながら環状凹部２０を洗浄液に浸けることにより、環状凹部２０の中において気体で洗浄液を撹拌させることができ、漏電防止部４を分解しなくても環状凹部２０の内部を洗浄することができる。また、その洗浄後、気体により漏電防止部４を乾燥させることもできる。
【００４６】
また、気体供給手段２２は、中空に構成された電極支持軸２の内部と環状凹部２０の奥側とを連通する通気路２３を備え、電極支持軸２の内部を通じて環状凹部２０の奥側に気体を供給するように構成されているので、簡単な構成により実現することができる。
【００４７】
また、漏電防止部４は、その表面に付着した薬液を加熱するヒータ２１を備えているので、環状凹部２０の中に付着した薬液を、前記気体に加え、ヒータ２１によっても乾燥させることができる。
【００４８】
また、作業者が操作するための操作手段としてのグリップ部３７を備えており、液滴Ｄがノズル部１１から該グリップ部側へ飛散することを阻止するように気体のカーテンを形成する気体カーテン形成部５０を備えているので、薬液を噴霧する場合に、薬液を含んだ帯電噴霧の作業者側への飛散量を低減することができる。
【００４９】
次に、図５は本発明を具体化した第二実施形態の誘導帯電型静電噴霧装置６０を示しており、同図中において矢印Ｆは機体前方を指し示している。この装置６０は、以下に示す点において、主に第一実施形態と相違している。従って、同実施形態と共通する部分については、同一符号を付することにより重複説明を省く。
【００５０】
本例の誘導帯電型静電噴霧装置６０は、走行車輪６１により圃場を走行可能に支持された機体６２を備えている。機体６２の前側には、縦噴管部６３が縦方向に延設されており、該縦噴管部６３には、機体６２の左右方向へそれぞれ噴霧する一対の静電噴霧部１，１が、縦方向に互いに略等間隔をおいて５組列設されている。機体６２は、手押し用のハンドル６２ａと、スタンド６２ｂとを備えており、ハンドル６２ａには気体カーテン形成部５０が装着されている。縦噴管部６３には、加圧された薬液がホース（図示略）を介して供給される。また、縦噴管部６３及び気体カーテン形成部５０には、加圧された空気がエア配管（図示略）を介して供給される。
【００５１】
なお、本例の機体６２は、人力で走行するように構成されているが、これに限定されない。例えばモータやエンジンにより走行車輪６１を駆動するように構成してもよい。また、機体６２を走行可能に支持する走行車輪６１の数は、１輪に限定されず、適宜２輪以上にすることもできる。
【００５２】
本例の誘導帯電型静電噴霧装置６０によっても、第一実施形態と同様の効果を得ることができる。
【００５３】
なお、本発明は前記実施形態に限定されるものではなく、例えば以下のように、発明の趣旨から逸脱しない範囲で適宜変更して具体化することもできる。
（１）漏電防止部４や気体カーテン形成部５０に供給する気体を空気以外のものに適宜変更すること。
（２）気体カーテン形成部５０の配設位置を適宜変更したり、気体カーテン形成部５０を２つ以上配設したりすること。
【符号の説明】
【００５４】
１    静電噴霧部
２    電極支持軸
３    保護カバー
３ａ  通気孔
４    漏電防止部
５    電極
６    保持部
７    高電圧ケーブル
１１    ノズル部
１２    継手
１９    シール材
２０    環状凹部
２１    ヒータ
２１ａ  電源ケーブル
２２    気体供給手段
２３    通気路
３０    誘導帯電型静電噴霧装置
３１    収容タンク
３２    ポンプ
３３    エアコンプレッサ
３４    薬液配管
３５    エア配管
３６    手持ち式ノズル部
３７    グリップ部
３８    噴管部
４１    薬液供給制御弁
４２    感圧センサー
４３    エア供給制御弁
４４    電圧発生装置
４５    入力部
４６    表示部
４７    制御部
４８    蓄電池
４９    補助グリップ部
５０    気体カーテン形成部
５１    空気室
５２    吹き出し口
５３    エア配管部
６０    誘導帯電型静電噴霧装置
６１    走行車輪
６２    機体
６２ａ  ハンドル
６２ｂ  スタンド
６３    縦噴管部
Ｄ  液滴
Ｔ  ノズル部の先端側
Ａ  気体としての空気
Ｆ  機体前方
【図１】
2014100647.tif 000003
【図２】
2014100647.tif 000004
【図３】
2014100647.tif 000005
【図４】
2014100647.tif 000006
【図５】
2014100647.tif 000007
【図６】
2014100647.tif 000008
【図７】
2014100647.tif 000009